(57)【要約】【課題】ライン軌道スキャン中にコリメータ板を動作させて、再構成に寄与しない部分のＸ線を減少させて追加被曝を最小限に抑えたＸ線ＣＴ装置及びその制御方法を提供することである。【解決手段】ライン軌道スキャンにてＸ線管球１１からのＸ線束が、コリメータ板１３によって再構成に寄与するデータ使用範囲以外の部分が遮蔽され、被検体Ｐを介して該被検体Ｐの体軸方向に曝射される。そして、２次元検出器システム１２でＸ線を検出し、同一条件で円軌道スキャンによりＸ線管球１１と被検体Ｐとの相対回転運動によるＸ線を検出する。そして、再構成装置３０にて、２つの検出されたＸ線に基づいて前記被検体Ｐのデータを逆投影することにより画像を再構成する。【選択図】      図１
2009006133.tif 000002
【特許請求の範囲】
【請求項１】
被検体の体軸方向に広がりを有するＸ線ビームを発生するＸ線源と、前記被検体を透過したＸ線を検出する検出素子が前記被検体の体軸方向に沿って複数列配列されたＸ線検出手段と、を備えたＸ線ＣＴ装置に於いて、
前記Ｘ線源と前記被検体との体軸方向に相対移動的に移動しながら第１の投影データを収集し、前記Ｘ線源を前記被検体の周囲で回転しながら第２の投影データを収集するように制御するスキャン制御手段と、
前記第１の投影データを収集する際に、その収集位置に応じて、前記Ｘ線源から発生されるＸ線ビームの遮蔽量を変更するＸ線遮蔽手段と、
前記Ｘ線遮蔽手段で遮蔽された前記第１の投影データと前記第２の投影データを合成して再構成処理を行う再構成処理手段と、
を具備することを特徴とするＸ線ＣＴ装置。
【請求項２】
前記第１の投影データは非円軌道に対応し、前記第２の投影データは円軌道に対応するもので、
前記再構成手段は、前記第１の投影データと前記第２の投影データとを用いて、コーンビームアーチファクトを低減した再構成を行うものであり、
前記Ｘ線遮蔽手段はＸ線遮蔽部材を有するもので、前記再構成に於いて必要とされる前記第１の投影データが得られるように、前記Ｘ線遮蔽部材を投影データの収集位置に応じて移動するものである
ことを特徴とする請求項１に記載のＸ線ＣＴ装置。
【請求項３】
前記遮蔽手段で遮蔽される前記Ｘ線ビームの量を可変制御する遮蔽制御手段を更に具備し、
前記遮蔽制御手段は、前記第１の投影データの収集位置に応じて前記遮蔽手段の開閉を制御する
ことを特徴とする請求項１に記載のＸ線ＣＴ装置。
【請求項４】
前記Ｘ線遮蔽手段は、スキャン方向に於いてその中心から分割された少なくとも第１及び第２のＸ線遮蔽手段を有し、
前記前記遮蔽制御手段は、
前記第１のＸ線遮蔽手段を、前記Ｘ線源のスキャン開始位置から、該開始位置と終了位置の間の中間位置まで開状態とし、前記第２のＸ線遮蔽手段を、前記開始位置から第１の所定位置までは閉状態、且つ該第１の所定位置から前記中間位置までは閉状態から開状態に変化させ、
前記第１のＸ線遮蔽手段を、前記中間位置から第２の所定位置までは開状態、且つ該第２の所定位置から前記終了位置までは開状態から閉状態に変化させ、前記第２のＸ線遮蔽手段を、前記中間位置から前記終了位置まで開状態とする、
ように制御する
ことを特徴とする請求項３に記載のＸ線ＣＴ装置。
【請求項５】
被検体の体軸方向に広がりを有するＸ線ビームを発生するＸ線源と、前記被検体を透過したＸ線を検出する検出素子が前記被検体の体軸方向に沿って複数列配列されたＸ線検出手段と、を備えたＸ線ＣＴ装置に於いて、
前記Ｘ線源と前記被検体との体軸方向に相対移動的に移動しながら第１の投影データを収集するように制御する第１のスキャン制御手段と、
前記第１の投影データを収集する際に、前記Ｘ線源から発生されるＸ線ビームの少なくとも一部を遮蔽する遮蔽手段と、
前記遮蔽手段で遮蔽された前記第１の投影データに基づいて、スキャン範囲または画像生成範囲を設定するためのスキャン範囲設定用画像を表示する範囲設定手段と、
前記範囲設定手段により設定された前記スキャン範囲または画像生成範囲に基づいて、前記Ｘ線源を前記被検体の周囲で回転しながら第２の投影データを収集するように制御する第２のスキャン制御手段と、
前記遮蔽手段で遮蔽された前記第１の投影データと前記第２の投影データを合成して再構成処理を行う再構成処理手段と、
を具備することを特徴とするＸ線ＣＴ装置。
【請求項６】
被検体の体軸方向に広がりを有するＸ線ビームを発生するＸ線源と、前記被検体を透過したＸ線を検出する検出素子が前記被検体の体軸方向に沿って複数列配列されたＸ線検出手段と、を備えたＸ線ＣＴ装置の制御方法に於いて、
前記Ｘ線源と前記被検体との体軸方向に相対移動的に移動すると共に、前記第１の投影データを収集する際に、前記Ｘ線源から発生されるＸ線ビームの少なくとも一部を遮蔽して、第１の投影データを収集するステップと、
前記第１の投影データに基づいて、スキャン範囲または画像生成範囲を設定するための範囲設定用画像を表示して、スキャン範囲または画像生成範囲を設定するステップと、
設定された前記スキャン範囲または画像生成範囲に基づいて、前記Ｘ線源を前記被検体の周囲で回転しながら第２の投影データを収集するステップと、
前記第１の投影データと、前記第２の投影データとを合成して再構成処理を行うステップと、
を具備することを特徴とするＸ線ＣＴ装置の制御方法。
【請求項７】
被検体の体軸方向に広がりを有するＸ線ビームを発生するＸ線源と、前記被検体を透過したＸ線を検出する検出素子が前記被検体の体軸方向に沿って複数列配列されたＸ線検出手段と、前記Ｘ線検出手段で検出されたＸ線ビームに基づいて前記被検体のデータを逆投影処理することにより画像を再構成する再構成手段と、前記再構成手段によって再構成された画像を表示する表示手段と、を備えたＸ線ＣＴ装置に於いて、
前記Ｘ線源を前記被検体の周囲で回転しながら第１の投影データを収集し、前記第１の投影データに基づいて求めた投影方向に基づいて、前記Ｘ線源と前記被検体とを体軸方向に相対移動的に移動しながら第２の投影データを収集するように制御するスキャン制御手段と、
前記第１の投影データと前記第２の投影データに基づいて再構成処理を行う再構成処理手段と、
を具備することを特徴とするＸ線ＣＴ装置。
【請求項８】
前記スキャン制御手段は、前記第１の投影データに基づいて、前記被検体の体厚が薄くなる投影方向で前記第２の投影データを収集することを特徴とする請求項７に記載のＸ線ＣＴ装置。
【請求項９】
前記スキャン制御手段は、前記第１の投影データから最大値を求めて、前記投影方向を決定することを特徴とする請求項７に記載のＸ線ＣＴ装置。
【請求項１０】
前記スキャン制御手段は、前記第１の投影データからボリュームデータを再構成し、該ボリュームデータに基づいて、前記投影方向を決定することを特徴とする請求項７に記載のＸ線ＣＴ装置。
【請求項１１】
被検体の体軸方向に広がりを有するＸ線ビームを発生するＸ線源と、前記被検体を透過したＸ線を検出する検出素子が前記被検体の体軸方向に沿って複数列配列されたＸ線検出手段と、前記Ｘ線検出手段で検出されたＸ線ビームに基づいて前記被検体のデータを逆投影処理することにより画像を再構成する再構成手段と、前記再構成手段によって再構成された画像を表示する表示手段と、を備えたＸ線ＣＴ装置の制御方法に於いて、
前記Ｘ線源を前記被検体の周囲で回転しながら第１の投影データを収集するステップと、
前記第１の投影データに基づいて、第２の投影データを収集するための投影方向を求めるステップと、
前記投影方向に基づいて前記Ｘ線源と前記被検体との体軸方向に相対移動的に移動しながら前記第２の投影データを収集するステップと、
前記第１の投影データと前記第２の投影データに基づいて再構成処理を行うステップと、
を具備することを特徴とするＸ線ＣＴ装置の制御方法。
【発明の詳細な説明】
【技術分野】
【０００１】
本発明は、コーンビーム再構成を実現するＸ線ＣＴ装置及びその制御方法に関し、特にＸ線を生体に照射し体内の情報を画像として得る医用Ｘ線ＣＴ装置に関するものである。
【背景技術】
【０００２】
近年、第３世代ＣＴとして、Ｘ線束を発生するＸ線管と、被検体を挟み対向する位置にあるＸ線検出器とが被検体の回りを回転しながら様々な角度からの投影データを収集する方式が定義されている。従来、Ｘ線束はファンビーム状のＸ線束、検出器は１次元アレイ型検出器であった。
【０００３】
また、スキャン方式は、コンベンショナルスキャン方式と、ヘリカルスキャン方式の２種類が存在している。このうち、コンベンショナルスキャン方式とは、Ｘ線管が同一の円軌道を周回する（同じ円周上を周回する）円軌道スキャン方法として定義されている。一方、ヘリカルスキャン方式とは、Ｘ線源と検出器とが被検体の回りを連続的に回転し、その回転と同期して被検体を載置した寝台が体軸に沿って移動するスキャン方式として定義されている。ヘリカルスキャン方式は、被検体と共に移動する移動座標系を考えると、Ｘ線管が螺旋軌道を描くことから、この名称が使われている。尚、移動座標系に於いて、Ｘ線管が１回転する間に変位する体軸方向、すなわちＺ軸方向の距離は、ヘリカルピッチとして定義される。
【０００４】
また、近年、第３世代或いは第４世代のＣＴに於いて、ファンビーム状のＸ線束ではなく体軸方向に広がりを持って円錐に近似したコーンビーム状のＸ線束を発生するＸ線管と、２次元アレイ型検出器と、を有するＣＴが知られており、これをコーンビームＣＴと称する。２次元アレイ型検出器とは、Ｘ線検出器が複数の１次元アレイ型検出器をＺ軸方向に複数列、例えばＮ列積み重ねたように、検出器素子がマトリクス状に配列された検出器である。
【０００５】
そして、コンベンショナルスキャン方式の断層撮影法では、その撮影により得られた画像再構成に於いて、Ｆｅｌｄｋａｍｐらが提案している円軌道コーンビーム再構成法が知られている（例えば、下記特許文献１及び下記特許文献２参照）。ところが、この円軌道コーンビーム再構成法は、コーンビームアーチファクトを発生するためにデータが完全なものとならず、画質が劣化することが証明されている。
【０００６】
そのため、その解決策として、円軌道スキャンにライン軌道スキャンを加えた、Ｌｉｎｅ＋Ｃｉｒｃｌｅ（以下、ラインサークルと記すものとする）再構成法が提案されている。近年、Ｋａｔｓｅｖｉｃｈより「フィルタ＋逆投影」という形式でラインサークル再構成法の提案がなされている。
【特許文献１】特開２００２−３６０５６２号公報
【特許文献２】特開平５−３２４８０１号公報
【発明の開示】
【発明が解決しようとする課題】
【０００７】
しかしながら、前述したラインサークル構成法をシステム実装する上で、以下のような課題がある。
【０００８】
すなわち、ラインデータは追加スキャン、つまり過剰な被曝と見なされるため、追加となる被曝はできる限り減らさなくてはならない。加えて、ラインデータは、基本的に大コーン角のデータを必要とするが、再構成に寄与する部分は一部であり、その他の部分は無駄な被曝となっている。
【０００９】
したがって本発明は、前記実情に鑑みてなされたものであり、その目的は、ライン軌道スキャン中にコリメータを動作させてスライス方向におけるＸ線照射幅を変えて、再構成に寄与しない部分へのＸ線照射を減少させて追加被曝を最小限に抑えたＸ線ＣＴ装置及びその制御方法を提供することである。
【課題を解決するための手段】
【００１０】
すなわち本発明は、被検体の体軸方向に広がりを有するＸ線ビームを発生するＸ線源と、前記被検体を透過したＸ線を検出する検出素子が前記被検体の体軸方向に沿って複数列配列されたＸ線検出手段と、を備えたＸ線ＣＴ装置に於いて、前記Ｘ線源と前記被検体との体軸方向に相対移動的に移動しながら第１の投影データを収集し、前記Ｘ線源を前記被検体の周囲で回転しながら第２の投影データを収集するように制御するスキャン制御手段と、前記第１の投影データを収集する際に、その収集位置に応じて、前記Ｘ線源から発生されるＸ線ビームの遮蔽量を変更するＸ線遮蔽手段と、前記Ｘ線遮蔽手段で遮蔽された前記第１の投影データと前記第２の投影データを合成して再構成処理を行う再構成処理手段と、を具備することを特徴とする。
【００１１】
また本発明は、被検体の体軸方向に広がりを有するＸ線ビームを発生するＸ線源と、前記被検体を透過したＸ線を検出する検出素子が前記被検体の体軸方向に沿って複数列配列されたＸ線検出手段と、を備えたＸ線ＣＴ装置に於いて、前記Ｘ線源と前記被検体との体軸方向に相対移動的に移動しながら第１の投影データを収集するように制御する第１のスキャン制御手段と、前記第１の投影データを収集する際に、前記Ｘ線源から発生されるＸ線ビームの少なくとも一部を遮蔽する遮蔽手段と、前記遮蔽手段で遮蔽された前記第１の投影データに基づいて、スキャン範囲または画像生成範囲を設定するためのスキャン範囲設定用画像を表示する範囲設定手段と、前記範囲設定手段により設定された前記スキャン範囲または画像生成範囲に基づいて、前記Ｘ線源を前記被検体の周囲で回転しながら第２の投影データを収集するように制御する第２のスキャン制御手段と、前記遮蔽手段で遮蔽された前記第１の投影データと前記第２の投影データを合成して再構成処理を行う再構成処理手段と、を具備することを特徴とする。
【００１２】
更に本発明は、被検体の体軸方向に広がりを有するＸ線ビームを発生するＸ線源と、前記被検体を透過したＸ線を検出する検出素子が前記被検体の体軸方向に沿って複数列配列されたＸ線検出手段と、を備えたＸ線ＣＴ装置の制御方法に於いて、前記Ｘ線源と前記被検体との体軸方向に相対移動的に移動すると共に、前記第１の投影データを収集する際に、前記Ｘ線源から発生されるＸ線ビームの少なくとも一部を遮蔽して、第１の投影データを収集するステップと、前記第１の投影データに基づいて、スキャン範囲または画像生成範囲を設定するための範囲設定用画像を表示して、スキャン範囲または画像生成範囲を設定するステップと、設定された前記スキャン範囲または画像生成範囲に基づいて、前記Ｘ線源を前記被検体の周囲で回転しながら第２の投影データを収集するステップと、前記第１の投影データと、前記第２の投影データとを合成して再構成処理を行うステップと、を具備することを特徴とする。
【００１３】
本発明は、被検体の体軸方向に広がりを有するＸ線ビームを発生するＸ線源と、前記被検体を透過したＸ線を検出する検出素子が前記被検体の体軸方向に沿って複数列配列されたＸ線検出手段と、前記Ｘ線検出手段で検出されたＸ線ビームに基づいて前記被検体のデータを逆投影処理することにより画像を再構成する再構成手段と、前記再構成手段によって再構成された画像を表示する表示手段と、を備えたＸ線ＣＴ装置に於いて、前記Ｘ線源を前記被検体の周囲で回転しながら第１の投影データを収集し、前記第１の投影データに基づいて求めた投影方向に基づいて、前記Ｘ線源と前記被検体とを体軸方向に相対移動的に移動しながら第２の投影データを収集するように制御するスキャン制御手段と、前記第１の投影データと前記第２の投影データに基づいて再構成処理を行う再構成処理手段と、を具備することを特徴とする。
【００１４】
そして本発明は、被検体の体軸方向に広がりを有するＸ線ビームを発生するＸ線源と、前記被検体を透過したＸ線を検出する検出素子が前記被検体の体軸方向に沿って複数列配列されたＸ線検出手段と、前記Ｘ線検出手段で検出されたＸ線ビームに基づいて前記被検体のデータを逆投影処理することにより画像を再構成する再構成手段と、前記再構成手段によって再構成された画像を表示する表示手段と、を備えたＸ線ＣＴ装置の制御方法に於いて、前記Ｘ線源を前記被検体の周囲で回転しながら第１の投影データを収集するステップと、前記第１の投影データに基づいて、第２の投影データを収集するための投影方向を求めるステップと、前記投影方向に基づいて前記Ｘ線源と前記被検体との体軸方向に相対移動的に移動しながら前記第２の投影データを収集するステップと、前記第１の投影データと前記第２の投影データに基づいて再構成処理を行うステップと、を具備することを特徴とする。
【発明の効果】
【００１５】
本発明によれば、ライン軌道スキャン中にコリメータを動作させて、再構成に寄与しない部分へのＸ線照射を減少させて被曝を最小限に抑えたＸ線ＣＴ装置及びその制御方法を提供することができる。
【発明を実施するための最良の形態】
【００１６】
以下、図面を参照して、本発明の実施形態について説明する。
【００１７】
（第１の実施形態）
先ず、本発明の第１の実施形態について説明する。
【００１８】
図１は、本発明の第１の実施形態に係るＸ線ＣＴ装置１０の構成を示したブロック図であり、図２は、図１のＸ線ＣＴ装置１０による断層像撮影形態を示した斜視図である。
【００１９】
尚、Ｘ線ＣＴ装置には、Ｘ線管球と検出器システムとが一体化して被検体の周囲を回転する回転／回転（ＲＯＴＡＴＥ／ＲＯＴＡＴＥ）タイプ、リング状に多数の検出素子がアレイされ、Ｘ線管球のみが被検体の周囲を回転する固定／回転（ＳＴＡＴＩＯＮＡＲＹ／ＲＯＴＡＴＥ）タイプ、電子ビームを偏向させることで電子的にＸ線源の位置をターゲット上で移動するタイプ等、様々なタイプが存在するが、本発明の技術的思想は、何れのタイプにも適用可能である。すなわち、本発明の技術的思想は、Ｘ線管球とマルチスライススキャン対応の検出器を有する構成であれば、どのような装置であっても適用することが可能である。
【００２０】
尚、以下の説明では、現在主流を占めている回転／回転タイプのＸ線ＣＴ装置を例として説明する。また、スキャン方式は、前述したＦｅｌｄｋａｍｐらによる円軌道コーンビーム再構成法にライン軌道スキャンを加えた、Ｌｉｎｅ＋Ｃｉｒｃｌｅ（ラインサークル）再構成法である。
【００２１】
図１に示されるように、Ｘ線ＣＴ装置１０は、Ｘ線管球１１、回転リング１２、Ｘ線遮蔽部材を板状にしたコリメータ板１３、２次元検出器システム１４、データ収集回路（ＤＡＳ）１５、非接触データ伝送装置１６、前処理装置１７、被検体を載置する寝台１８、架台駆動部１９、スリップリング２０、コリメータ駆動機構２１、高電圧発生装置２３、寝台駆動部２４、ホストコントローラ２５、記憶装置２７、補助記憶装置２８、データ処理装置２９、再構成装置３０、入力装置３１、画像処理部３３、表示装置３５、ネットワーク通信装置３７、及びデータ／制御バス４０を有して構成される。また、データ／制御バス４０を介して、当該装置本体１０には外部の画像処理装置（図示せず）が接続されている。
【００２２】
前記Ｘ線管球１１はＸ線を発生するＸ線源であり、回転リング１２に設けられている。当該Ｘ線管球１１には、Ｘ線の曝射に必要な電力が高電圧発生装置２３からスリップリング２０を介して供給される。Ｘ線管球１１は、供給された高電圧により電子を加速させてターゲットに衝突させることで、有効視野領域ＦＯＶ内の寝台１８上に載置された被検体Ｐに対して四角錘状等のコーン状のＸ線を照射する。
【００２３】
また、前記Ｘ線管球１１は、より精度の高い撮影を実現するために、撮影の際にＸ線ビームの中心が２次元検出器システム１４の中心と向かい合うように相対的に位置調節されていることが好ましい。
【００２４】
尚、Ｘ線管球１１から照射されるＸ線ビームは、図３にも示されるように、コリメータ板１３によってコリメートされる。このコリメータ板１３は、ホストコントローラ２５からの制御によりコリメータ駆動機構２１が駆動されることによって、後述するように開閉する。図３に示される例の場合、図示右側のコリメータ板１３をＸ線ビームの中心線近傍にまで移動させることにより、Ｘ線管球１１の焦点１１ａから照射されるＸ線ビームは、その右側のほぼ半分が遮蔽されることを示している。このようにして、前記Ｘ線ビームを遮蔽して、所望量のＸ線を被検体Ｐに対して曝射することが可能になる。
【００２５】
前記回転リング１２には、Ｘ線管球１１及びコリメータ板１３と、２次元検出器システム１４と、データ収集回路１５が設けられている。回転リング１２は、架台駆動部１９によって駆動されるもので、Ｘ線管球１１、コリメータ板１３及び２次元検出器システム１４と共に、１回転あたり１秒以下という高速で被検体Ｐの回りを回転する。寝台１８は被検体Ｐを載置するためのもので、この寝台１８を挟んで回転リング１２の対向する位置に、Ｘ線管球１１と２次元検出器システム１４が配置されている。
【００２６】
２次元検出器システム１４は、被検体Ｐを透過したＸ線を検出する検出器システムであり、前述したように、Ｘ線管球１１に対向するようにして回転リング１２に取り付けられている。図２に示されるように、２次元検出器システム１４には、シンチレータとフォトダイオードとの組み合わせで構成される複数の検出素子が、被検体Ｐの体軸方向（スライス方向）Ａとそれに直交するチャンネル方向Ｂとに関して、２次元状に配列されている。例えば、チャンネル方向に関しては１，０００個（１，０００チャンネル）程度の検出素子が配列されている（以下、この１，０００個の検出素子が配列された一の列を「検出素子列」と称する）。
【００２７】
本Ｘ線ＣＴ装置１０は、例えば２５６列のマルチ（２５６列マルチとは、２５６列の断層像が同時に収集されるものを言う。実際には検出素子列が６４列、１２８列、２５６列等多数配列される。）で構成される。尚、本発明にかかるラインサークル再構成は、特にスライス方向（被検者の体軸、又は、Ｘ線管球及び検出器の回転軸に沿った方向）に於ける検出器の幅が広くなり、Ｘ線ビームのコーン角が大きくなった時に有効であり、例えば６４列以上の検出素子列を持ったＸ線ＣＴ装置で有用である。尚、検出器は、検出素子を円弧状、平面状のいずれの形状に配置したものでも良い。
【００２８】
データ収集回路（ＤＡＳ）１５は、複数のＤＡＳチップを有し、２次元検出器システム１４で検出されたＭ×Ｎの全チャンネルに関する膨大なデータ（１ビューあたりのＭ×Ｎチャンネル分のデータを、以下“投影データ”と称する）を入力する。そして、増幅処理、Ａ／Ｄ変換処理等の後、一括して光通信を応用した非接触データ伝送装置１６を介して固定側のデータ処理ユニットに伝送する。
【００２９】
前記非接触データ伝送装置１６は、収集したＸ線透過データを光学的に次段装置に伝送する。当該非接触データ伝送装置１６やデータ収集回路１５等については、２次元検出器システム１４に於いて、膨大、且つ高速に発生する２次元投影データを時間遅れなく伝送するための超高速処理化が図られている。
【００３０】
すなわち、被検体を透過したＸ線は、２次元検出器システム１４に於いてアナログ電気信号に変換される。更に、このアナログ電気信号は、データ収集回路１５でデジタル電気信号の２次元投影データに変換された後、各種補正を行う前処理装置１７に送られる。
【００３１】
前処理装置１７は、非接触データ伝送装置１６から２次元投影データを入力し、感度補正やＸ線強度補正等の前処理を行う。前処理を受けた２次元投影データは、直接、或いは記憶装置２７に一旦記憶された後、データ処理装置２９に送られる。尚、本実施形態では、前処理後の投影データを記憶しているが、前処理前の投影データを記憶するようにしても良い。
【００３２】
架台駆動部１９は、診断用開口内に挿入された被検体の体軸方向に平行な回転中心軸のまわりに、Ｘ線管球１１と２次元検出器システム１４とを一体で回転させる等の駆動制御を行う。この架台駆動部１９は、Ｘ線管球１１のみを中心軸のまわりに回転させるものとしても良い。寝台駆動部２４は、被検体Ｐが載置された寝台１８を、主に体軸方向に移動させる等の駆動制御を行うためのものである。
【００３３】
高電圧発生装置２３は、Ｘ線の曝射に必要な電力を、スリップリング２０を介してＸ線管球１１に高電圧を供給する装置であり、高電圧変圧器、フィラメント加熱変換器、整流器、高電圧切替器等から成っている。この高電圧発生装置２３によるＸ線管球１１への高電圧供給は、スリップリング２０により行われる。
【００３４】
ホストコントローラ２５は、撮影処理、データ処理、画像処理等の各種処理に関する統括的な制御を行う。例えば、撮影処理に於いては、ホストコントローラ２５は、予め入力されたスライス厚等のスキャン条件を内部メモリに格納する。そして、患者ＩＤ等によって自動的に選択されたスキャン条件（或いは、マニュアルモードに於いて、入力装置３１から直接設定されたスキャン条件）に基づいて、高電圧発生装置２３、寝台駆動部２４、架台駆動部１９、及び寝台１８の体軸方向への送り量、送り速度、Ｘ線管球１１、コリメータ板１３の開閉及び２次元検出器システム１４の回転速度、回転ピッチ、及びＸ線の曝射タイミング等を制御する。これにより、被検体Ｐの所望の撮影領域に対して、多方向から複数の検出素子列にＸ線が照射されるように、スライス方向に広がりを有するコーン状のＸ線ビームを照射して投影データの収集を行う。更に、ホストコントローラ２５は、この収集した投影データに対して再構成処理を行ってＸ線ＣＴ画像を生成する。
【００３５】
また、ホストコントローラ２５は、スキャン条件に基づいて、２次元検出器システム１４のスイッチ群の各スイッチ切り替え制御を行う。すなわち、ホストコントローラ２５は、２次元検出器システム１４が有する各検出素子とデータ収集素子との接続状態を切り替え、各検出素子で検出されたＸ線透過データを所定の単位で束ねる。そして、スキャン条件に対応した複数スライスのＸ線透過データとして、後段のデータ収集回路１５に送り出し、所定の処理を実行する。
【００３６】
補助記憶装置２８は、再構成装置３０により生成された再構成画像データを記憶可能な大容量の記憶領域を有する装置である。
【００３７】
データ処理装置２９は、例えばＣＰＵ等を有するコンピュータ回路を搭載しており、２次元検出器システム１４により収集された投影データを記憶する。そして、データ処理装置２９は、撮影系（Ｘ線管球１１、コリメータ板１３及び２次元検出器システム１４）の回転による多方向から得られた同一スライスの全ての投影データを加算する処理や、その加算処理により得られた多方向データに対して必要に応じて補間処理、補正処理等を施すようになっている。
【００３８】
再構成装置３０は、データ処理装置２９によりデータ処理されて得られた投影データを再構成処理して、所定のスライス分の再構成画像データを生成する。具体的には、再構成装置３０は、スライス方向に於けるコーン角を無視して平行なＸ線であるとの仮定の元に再構成を行う２次元画像再構成、或いはＦｅｌｄｋａｍｐ法に代表されるスライス方向に於けるＸ線パスのコーン角を考慮して再構成を行う３次元画像再構成アルゴリズムによる再構成を行う。更に、体軸方向を横切る複数断面毎のＸ線吸収系数の２次元的分布データ、或いは体軸方向に広い対象領域（ボリューム）内に於けるＸ線吸収系数の３次元的分布データ（ボクセルによる３次元ボリュームデータの集まりであり、「ボクセルボリュームデータ」と称される。）を再構成する。尚、当該再構成装置３０は、１枚の断層像の再構成に必要な多方向の投影データを収集するのに要する時間より、短時間で多方向の投影データから断層像を再構成する、所謂リアルタイム再構成を行う。
【００３９】
入力装置３１は、図示されないキーボードや各種スイッチ、マウス等を備えており、オペレータを介してスライス厚やスライス数等の各種スキャン条件を入力可能な装置である。
【００４０】
画像処理部３３は、再構成装置３０により生成された再構成画像データに対して、ウィンドウ変換、ＲＧＢ処理等の、表示のための画像処理を行って表示装置３５に出力する。また、画像処理部３３は、オペレータの指示に基づき、任意断面の断層像、任意方向からの投影像、３次元表面画像等のいわゆる疑似３次元画像の生成を行い、表示装置３５に出力する。出力された画像データは、表示装置３５に於いてＸ線ＣＴ画像として表示される。
【００４１】
ネットワーク通信装置３７は、院内ＬＡＮ、インターネット等のネットワークを介して、通信機能を有する他の装置と情報のやり取りを行う。特に、ネットワーク通信装置３７は、インターネット等を介して当該本Ｘ線ＣＴ装置１０の画像情報やメンテナンス情報の送受信を行う。
【００４２】
尚、再構成、断面変換等のデータ処理、表示オペレーションに関する演算処理等は、Ｘ線ＣＴ装置１０内で行われるのが一般的である。しかし、ワークステーション等の外部画像処理装置に於いて、これらの各処理を実行する構成であってもよい。この場合、Ｘ線ＣＴ装置１０の本体から、外部画像処理装置に送られるデータは、再構成前でも、再構成後でも、データ処理後の表示直前でも、何れの状態でも本実施形態の効果を妨げるものではない。
【００４３】
Ｘ線ＣＴ装置ではスキャン計画のために、事前にスキャノグラム（撮影位置の設定を行うためのＸ線透過画像）を収集するのが一般的である。したがって、Ｌｉｎｅ＋Ｃｉｒｃｌｅ（ラインサークル）再構成法の場合、スキャノグラム収集が行われた後、ライン軌道スキャンによりライン軌道上の投影データ（以下、ライン軌道データという。）が収集され、円軌道スキャンにより円軌道上の投影データ（以下、円軌道データという。）を得て、次にこれらの両方のデータに基づいてアーチファクトの生じない再構成画像を形成するようになっている。
【００４４】
尚、ライン軌道データの代わりに、ヘリカル軌道スキャンを行って得られたヘリカル軌道データと、円軌道データを合成して再構成処理を行うようにしても良い。また、ライン軌道データに限られずに、ヘリカル軌道等で架台を停止させて再構成処理を行うようにしても良い。
【００４５】
スキャノグラムによるデータ収集方法は、図４（ａ）に示されるように、例えば１ｍｍ×２列の狭いコーン角で行われる。一方、ライン軌道データは、図４（ｂ）に示されるように、例えば０．５ｍｍ×２５６列の広いコーン角が必要となる。つまり、架台回転を静止させてデータを収集するということでは、スキャノグラムとラインデータ収集は共通である。そして、ルーチン検査のように、予めスキャンプロトコルが固定されているような場合には、ラインデータをスキャノグラムの代わりに収集し、ラインデータの中央列付近のデータのみを使用してスキャノグラムを形成することが可能である。
【００４６】
ここで、図５乃至図７を参照して、ラインデータの収集範囲とコリメータ板１３との動作について説明する。
【００４７】
図５に示されるように、被検体Ｐに対するラインデータの収集範囲をＬＺ、所定のコーン角を有するラインデータ範囲をＬとする。再構成に寄与する部分、すなわちデータ使用範囲はその一部であり、例えば、Ｚ1 に於いてはラインデータ範囲Ｌに対して、データ使用範囲は、図に斜線で示されるＬ1 である。同様に、ラインデータ範囲Ｌに対してデータ使用範囲は、Ｚ2 に於いては図に斜線で示されるＬ2 であり、Ｚ3 に於いて図に斜線で示されるＬ3 である。つまり、前述したＬ1 、Ｌ2 、Ｌ3 以外の部分は再構成には寄与しない部分であるので、これらデータ使用範囲以外の部分をコリメータ板１３によってＸ線ビームを遮蔽すればよい。
【００４８】
この場合、Ｘ線管球１１のＺ方向への移動（スキャン）に伴ってデータ使用範囲も変化しているので、この範囲に応じて、ホストコントローラ２５がコリメータ駆動機構２１を駆動して、コリメータ板１３のスライス方向に於ける開口を調整するようにする。
【００４９】
図６は、スキャン面に対する実際のデータ使用範囲を表した図である。
【００５０】
同図に於いて、斜線で示されるＳ1 、Ｓ2 が、前述したデータ使用範囲である。これらデータ使用範囲Ｓ1 、Ｓ2 以外の部分は、ラインデータとして収集されるものの、再構成には寄与しない部分である。したがって、このデータ使用範囲Ｓ1 、Ｓ2 に合わせてコリメータ板１３の開口面を調整すればよい。この図６からわかるように、どのＺ位置であっても、全データの半分以下しか再構成には寄与しないことがわかる。
【００５１】
尚、収集条件となる前記データ使用範囲Ｓ1 、Ｓ2 は、データの収集位置（体軸方向）の位置に応じて可変のものである。そして、前記データ使用範囲Ｓ1 、Ｓ2 は、スキャン条件、再構成ＲＯＩの大きさ／位置、架台チルト角、ラインデータの収集方向（Ｘ線管球の位置）等によって決定されるが、図６に示された例が代表的なものである。
【００５２】
図７は、図６に表されるデータ使用範囲に対してコリメータ板１３を動作させた例を示した図である。
【００５３】
再構成処理の原理上で必要なデータを得るには、データ使用範囲Ｓ1 、Ｓ2 以外の部分全てをコリメータ板１３で遮蔽すれば良いが、コリメータ板１３の開閉動作の応答性を加味すると、実際には困難である。したがって、図７に示されるように、データ使用範囲Ｓ1 、Ｓ2 と追従範囲Ｓ3 、Ｓ4 以外の範囲を、コリメータ板１３で遮蔽するのが現実的な例である。前記追従範囲Ｓ3 、Ｓ4 とは、コリメータ板１３の開閉動作の応答制御を考慮して、該コリメータ板１３を無理なく動作させるために、データ使用範囲Ｓ1 、Ｓ2 以外ではあるがＸ線が曝射される部分である。
【００５４】
但し、図７に示される例では、コリメータ板１３は略リニアに制御されているが、勿論この限りではない。例えば、制御点数を増加させたり、ノンリニア制御等を加えたりすれば、データ使用範囲以外の部分を、より正確に遮蔽することが可能である。
【００５５】
図８は、こうした詳細なコリメータ板開閉動作の制御によるコリメータ板１３の遮蔽の例を示した図である。図８に於いて、縦軸は０を中心とした体軸（スライス）方向の距離（ｍｍ）を表しており、横軸は０を中心としたチャンネル（スキャン）方向の距離（ｍｍ）を表している。
【００５６】
尚、各動作ラインは、２次元検出器システム１４を構成する検出素子の個数（例えば、２５６、１２８、６４、…）に応じて変化する。
【００５７】
図９は、図８のコリメータ板１３の開閉特性の一部を拡大して示した図である。図９に於いて、縦軸は投影データの素子数（列；ｓｅｇ）を表しており、横軸はスキャン面からの中心からスライス方向に於ける相対位置（ｈ；ｍｍ）を表している。また、図中ＳｅｇＴｏｐとはコリメータ板の上限を表し、同ＳｅｇＢｏｔはコリメータ板の下限を表している。
【００５８】
いま、例えばｈ＝１００のときのコリメータ板について考えると、図１０に示されるようにコリメーション幅が設定される。ここで、ｖTOP 〜ｖBOT がデータとして使用される部分であり、これらの位置は図９に示されるＳｅｇＴｏｐ、ＳｅｇＢｏｔによって決定される。
【００５９】
図１０はコリメーション幅の設定例を説明するためのもので、縦軸が検出器のスライス方向の距離（ｍｍ）を表し、横軸がセンタチャンネルから該当チャンネルまでのファン角度（°）を表している。ｖTOP より上の部分はコリメータ板１３によって遮蔽される部分である。また、ｖTOP 〜ｖBOT 間に表示されている複数の線は、フィルタリングの方向を示しており、この線上の投影データが再構成処理に必要となる。この必要な投影データに対応する部分の投影データが得られ、不要な部分についてはＸ線が照射されないようにコリメータ板１３を移動させながらスキャン動作を行う。
【００６０】
次に、図１１のフローチャートを参照して、本実施形態に於けるＸ線ＣＴ装置の基本的な動作について説明する。
【００６１】
先ず、ステップＳ１に於いて、Ｘ線管球１１からＸ線が曝射されてライン軌道スキャンが行われてライン軌道データの収集が行われる。それと共に、前述した再構成寄与範囲以外に曝謝されるＸ線を遮蔽すべく、コリメータ駆動機構２１が駆動されてコリメータ板１３の動きが制御される。
【００６２】
一連のプロトコル中のライン軌道データの列数、収集厚、Ｘ線管の管電圧、架台のチルト角は、円軌道スキャンと同一にする必要があるため、一意に決定される。逆に、ライン軌道スキャンと、予め設定されているスキャン計画中の円軌道スキャンの条件が一致しない場合は、ラインサークル再構成ができないため、ユーザに対して注意を促すべく警告を促す。これは、例えば、表示装置に再構成ができない旨の表示をしたり、図示されないが音等で注意を促すようにしても良い。尚、スキャン条件の他に、患者の識別情報、撮影部位の情報、撮影日の情報等を用いて、再構成に適した組合せか否かを判断するようにしても良い。
【００６３】
このステップＳ１で収集されたライン軌道データは、記憶装置２７に記憶される。この時、ライン軌道データと共に、そのスキャン条件を対応付けて記憶する。
【００６４】
次に、ステップＳ２にて収集範囲が決定される。ライン軌道データからスキャノ像（撮影範囲設定用の画像）が生成される。ライン軌道データは、撮影位置を変えながら複数の位置で２次元的な投影データが収集される。これらの２次元的な各投影データは、スライス方向でそれぞれ重畳するように収集されている。
【００６５】
スキャノ像は、スライス方向に於けるコーン角の小さい投影データが、各位置で収集された２次元的な投影データから抜き出されて合成されることにより、スキャノ像が生成される。言い換えると、スライス方向中央近傍の検出器列で収集された投影データが、各撮影位置に於ける２次元的な投影データから抽出され、それらが各位置に対応されてスライス方向に並べられることにより、スキャノ像が生成される。このスキャノ像上に画像生成範囲またはスキャン範囲を表すマーカが表示され、それが移動されることによりそれらの範囲が設定される。
【００６６】
前述したようにして設定された画像生成範囲またはスキャン範囲の再構成が行われるのに十分なライン軌道データが無いときは、警告または次のステップへの移行が中止される。十分なデータがあるかどうかは、後述の方法で求められる範囲のライン軌道データがあるか否かで判断される。
【００６７】
ライン軌道データの収集範囲は、再構成ＲＯＩの大きさ及び存在位置によって一意に決定される。つまり、キャリブレーションＦＯＶ、チルト角、外挿部分のマスクの有り／無し、再構成範囲、スキャン位置、ラインデータの収集方向（管球位置）の関数となる。尚、この収集範囲の計算は、ホストコントローラ２５、データ処理装置２９等により行われるが、詳細な説明は省略する。
【００６８】
このようにして収集範囲が決定されると、当該収集範囲に従って、ステップＳ３で円軌道スキャンが行われる。このステップＳ３で収集された円軌道データは、記憶装置２７に記憶される。この時、円軌道データと共に、そのスキャン条件が対応付けて記憶される。そして、ステップＳ４にて、前記ステップＳ１のライン軌道スキャンで得られたデータと前記ステップＳ３の円軌道スキャンで得られたデータを基に、再構成装置３０に於いて画像の再構成が実行される。尚、この画像再構成の詳細は周知であるので説明は省略する。
【００６９】
こうして、再構成画像が求められたならば、ステップＳ５にてその再構成画像が表示装置３５に表示される。
【００７０】
尚、前述した図１１のフローチャート以外にも、Ｘ線ＣＴ装置の動作は変形が可能である。
【００７１】
例えば、シーケンスが開始されて、スキャン順序及びスキャン条件を定めるところのスキャン計画の設定が行われて、ライン軌道スキャンと円軌道スキャンのスキャン条件が設定され、ライン軌道スキャン、円軌道スキャン、或いは再構成度にスキャン条件が比較されて、それぞれ適さない組合わせである場合は、その旨の警告を出す、或いは次のステップに移行しないようにする、というようにしても良い。
【００７２】
尚、これらのシーケンスは、操作者が任意に切り替えて選択することが可能である。
【００７３】
また、前述したラインデータ収集条件としての、データの収集厚、列数、Ｘ線源の管電圧、架台のチルト角、更に収集開始位置、収集長さは、ライン軌道スキャンと円軌道スキャンとで同じものとしなければならないが、それらはユーザが設定するものであっても良いし、ホストコントローラ２５等によって同じ値が設定されるようにしても良い。
【００７４】
このように、ライン軌道スキャン時にコリメータ板を用いて、再構成に寄与するデータ使用範囲以外の部分に曝射されるＸ線を遮蔽するので、Ｘ線による追加被曝を最小限に抑えることができる。
【００７５】
（第２の実施形態）
次に、本発明の第２の実施形態について説明する。
【００７６】
尚、以下に述べる第２の実施形態に於いて、Ｘ線ＣＴ装置の構成及び基本的な動作については、前述した第１の実施形態と同じであるので、説明の重複を避けるため、同一の部分には同一の参照番号を付して、その図示及び説明を省略し、異なる部分についてのみ説明する。
【００７７】
前述したように、ラインデータの収集方向（Ｘ線管球の位置）は、Ｘ線管球１１が回転リング１２に設けられているため、その位置には自由度がある。そのため、図１２に示されるように、被検体Ｐに対して、どの方向（位置）からでもＸ線を曝射することができる。つまり、Ｘ線管球１１の位置を移動させることによって、被検体Ｐの体厚が変化することになり、どの方向の体厚が最も少ないかがわかる。言い換えれば、最も体厚が少ない方向からラインデータを収集すれば、ラインデータの線量を最小限にすることができるということである。
【００７８】
例えば、被検体Ｐの肩の部分や腹部を収集する場合、撮影方向（ＡＰ方向）の体厚よりもこれに直交する方向（ＬＲ方向）の体厚の方が厚くなる。これは、前述したように、円軌道スキャンにより投影データからも判断することができる。
【００７９】
ある投影データのフォトンカウントの総和値を計算し、フォトンカウントの最も少ない位置のＸ線管球角度方向が、検出器が受けるフォトンという観点が有利な方向である。また、ラインデータは、その方向から収集すると、最もノイズの影響を受けない、つまり線量を最小限にすることが可能となる。
【００８０】
例えば、図１３に示されるように、被検体Ｐに対して、Ｘ線が曝射される２方向について考える。すると、それぞれの減衰量の最大値を比較して最大値の低い方、すなわち、同図の場合上方向からのＸ線曝射がラインデータの収集に有利であると言える。
【００８１】
このようにＸ線管球の位置を特定するためには、円軌道の撮影データが利用される。つまり、円軌道データの収集後に、ライン軌道データを収集することになる。円軌道の各投影データの積算値等を利用すれば、被検体Ｐのどの方向の体厚が最も少ないかを知ることができる。
【００８２】
以下、図１４のフローチャートを参照して、本発明の第２の実施形態に於けるＸ線ＣＴ装置の基本的な動作について説明する。
【００８３】
先ず、ステップＳ１１に於いて、Ｘ線が曝射されてライン軌道スキャンが行われる際のスキャノ収集、撮影範囲の設定が行われる。前記範囲は、再構成ＲＯＩの大きさ及び存在位置によって一意に決定される。つまり、キャリブレーションＦＯＶ、チルト角、外挿部分のマスクの有り／無し、再構成範囲、スキャン位置、ラインデータの収集方向（管球位置）の関数となる。尚、この収集範囲の計算は、ホストコントローラ２５、データ処理装置２９等により行われるが、詳細な説明は省略する。
【００８４】
次いで、ステップＳ１２にて、前記ステップＳ１１で設定された撮影範囲に従い、Ｘ線管球１１からＸ線が曝射されて円軌道データが収集される。このステップＳ１２で収集された円軌道データは、記憶装置２７に記憶される。この時、円軌道データと共に、そのスキャン条件が対応付けて記憶される。
【００８５】
そして、ステップＳ１３にて、前記ステップＳ１２の円軌道スキャンで得られたデータに基づいて、ライン軌道データの収集角度が決定される。つまり、前述したように、被検体Ｐの体厚の薄い方向をライン軌道スキャンの方向にするべく、ライン軌道スキャン時のＸ線管球１１の位置が決定される。
【００８６】
図１５は、図１４のフローチャートのステップＳ１３に於けるサブルーチン「ライン軌道データの収集角度決定」の詳細な動作を説明するためのフローチャートである。
【００８７】
この場合、先ず、ステップＳ２１にて、図１４のフローチャートのステップＳ１２に於ける円軌道スキャンの結果から、ある投影データの最大値が計算される。次いで、ステップＳ２２にて、前記ステップＳ２１で計算された最大値が最小となるような位置が求められ、その方向からのラインデータが収集される。その後、図１４のフローチャートのステップＳ１４に移行する。
【００８８】
ステップＳ１４では、前記ステップＳ１３で決定された収集角度に基づいて、ライン軌道スキャンが行われる。そして、ステップＳ１５にて、再構成装置３０に於いて画像の再構成が実行される。尚、この画像再構成の詳細は周知であるので説明は省略する。
【００８９】
こうして、再構成画像が求められたならば、ステップＳ１６にて、その再構成画像が表示装置３５に表示される。
【００９０】
尚、前述した第２の実施形態では、ライン軌道データの収集角度決定のために、投影データの最大値を利用してラインデータを収集するようにしていたが、これに限られるものではない。例えば、図１６のサブルーチンに示されるように、ボリュームデータを利用するようにしても良い。
【００９１】
図１６は、図１４のフローチャートのステップＳ１３に於けるサブルーチン「ライン軌道データの収集角度決定」の他の例の詳細な動作を説明するためのフローチャートである。
【００９２】
この場合、ステップＳ３１にて、図１４のフローチャートのステップＳ１２に於ける円軌道スキャンの結果から、ボリュームデータよりラインデータを収集するようにしている。その後、図１４のフローチャートのステップＳ１４に移行する。
【００９３】
このように、本第２の実施形態によれば、最も体厚の少ない方向からラインデータを収集するので、ラインデータの線量を最小限にして、追加被曝を抑えることができる。
【００９４】
尚、前述した円軌道データに基づいてラインデータを収集する以外に、検査部位に応じてラインデータの収集方向を決定するようにしても良い。例えば、被検体の肩部の撮影であれば、１２時／６時からの方向の体厚が最も小さくなることが既知である。このため、肩部については、前記１２時／６時からの方向からスキャンを行うように決定するように制御しても良い。
【００９５】
また、前述した第１の実施形態と第２の実施形態のＸ線ＣＴ装置の内容を組み合わせても良いのは勿論である。
【００９６】
以上、本発明の実施形態について説明したが、本発明は上述した実施形態に限定されるものではなく、本発明の要旨を逸脱しない範囲で種々の変形実施が可能であるのは勿論である。
【００９７】
更に、上述した実施形態には種々の段階の発明が含まれており、開示される複数の構成要件の適当な組合せにより種々の発明が抽出され得る。例えば、実施形態に示される全構成要件から幾つかの構成要件が削除されても、或いは実施形態に示される構成要件が幾つか組合わされても、発明が解決しようとする課題の欄で述べた課題が解決でき、発明の効果の欄で述べられている効果が得られる場合には、この構成要件が削除された構成も発明として抽出され得る。
【図面の簡単な説明】
【００９８】
【図１】本発明の第１の実施形態に係るＸ線ＣＴ装置１０の構成を示したブロック図である。
【図２】図１のＸ線ＣＴ装置１０による断層像撮影形態を示した斜視図である。
【図３】２次元検出器システム１４に対するＸ線管球１１からのＸ線照射形態を説明するための図である。
【図４】（ａ）は本発明の第１の実施形態に於けるＸ線ＣＴ装置のスキャノグラムによるデータ収集方法を説明するための図、（ｂ）は同ライン軌道データの収集方法を説明するための図である。
【図５】ラインデータの収集範囲とコリメータ板１３との動作について説明するもので、ラインデータの収集範囲と再構成に寄与するデータ使用範囲との関係を示した図である。
【図６】スキャン面に対する実際のデータ使用範囲を表した図である。
【図７】図６に表されるデータ使用範囲に対してコリメータ板１３を動作させた例を示した図である。
【図８】スキャン面に対する実際のデータ使用範囲を示すもので、詳細なコリメータ板開閉動作の制御によるコリメータ板１３で遮蔽した例を示した図である。
【図９】図８のコリメータ板開閉特性の一部を拡大して示した図である。
【図１０】コリメーション幅の設定例を説明するための特性図である。
【図１１】本発明の第１の実施形態に於けるＸ線ＣＴ装置の基本的な動作について説明するためのフローチャートである。
【図１２】本発明の第２の実施形態に係るＸ線ＣＴ装置１０に於いてラインデータの収集方向について説明するための図である。
【図１３】ライン軌道データの収集角度を決定するための説明図である。
【図１４】本発明の第２の実施形態に於けるＸ線ＣＴ装置の基本的な動作について説明するフローチャートである。
【図１５】図１４のフローチャートのステップＳ３に於けるサブルーチン「ライン軌道データの収集角度決定」の詳細な動作を説明するためのフローチャートである。
【図１６】図１４のフローチャートのステップＳ３に於けるサブルーチン「ライン軌道データの収集角度決定」の他の例の詳細な動作を説明するためのフローチャートである。
【符号の説明】
【００９９】
１０…Ｘ線ＣＴ装置、１１…Ｘ線管球、１２…回転リング、１３…コリメータ板、１４…２次元検出器システム、１５…データ収集回路、１６…非接触データ伝送装置、１７…前処理装置、１８…寝台、１９…架台駆動部、２０…スリップリング、２１…コリメータ駆動機構、２３…高電圧発生装置、２４…寝台駆動部、２５…ホストコントローラ、２７…記憶装置、２８…補助記憶装置、２９…データ処理装置、３０…再構成装置、３１…入力装置、３３…画像処理部、３５…表示装置、３７…ネットワーク通信装置、４０…制御バス。
【図１】
2009006133.tif 000003
【図２】
2009006133.tif 000004
【図３】
2009006133.tif 000005
【図４】
2009006133.tif 000006
【図５】
2009006133.tif 000007
【図６】
2009006133.tif 000008
【図７】
2009006133.tif 000009
【図８】
2009006133.tif 000010
【図９】
2009006133.tif 000011
【図１０】
2009006133.tif 000012
【図１１】
2009006133.tif 000013
【図１２】
2009006133.tif 000014
【図１３】
2009006133.tif 000015
【図１４】
2009006133.tif 000016
【図１５】
2009006133.tif 000017
【図１６】
2009006133.tif 000018